(57)【要約】  本発明は、多数のインターネット媒体に広告を露出して広告効率を極大化するオークションシステムおよび前記オークションシステムの運営方法に関する。本発明のオークションシステムは、インターネット上で不特定多数のインターネット利用者に情報を提供し、広告領域を有するインターネット媒体と、前記多数のインターネット媒体の一部または全部がグループ化された多数のインターネット媒体グループ（３００）に対する情報を加入された会員に提供し、オークションを介して、前記多数のインターネット媒体グループのいずれか一つに広告を掲載するためにオークションに参加した会員のうち広告を掲載する会員を選定するオークションサーバー（１００）と、前記オークションサーバーに接続して、広告を掲載する会員として加入し、前記提供された多数のインターネット媒体グループ情報を照会して前記多数のインターネット媒体グループのいずれか一つを選択し、前記選択したインターネット媒体グループに対する入札額を入力する広告主クライアント（２００）とを含んでなる。
2012511205.tif 000002
【特許請求の範囲】
【請求項１】
インターネット上で不特定多数のインターネット利用者に情報を提供し、広告が掲載できる広告領域を有する多数のインターネット媒体と、
前記多数のインターネット媒体の一部または全部がグループ化された多数のインターネット媒体グループに対する情報を加入された会員に提供し、オークションを介して、前記多数のインターネット媒体グループのいずれか一つに広告を掲載するためにオークションに参加した会員のうち広告を掲載する会員を選定するオークションサーバーと、
前記オークションサーバーに接続して広告を掲載する会員として加入し、前記提供された多数のインターネット媒体グループ情報を照会して前記多数のインターネット媒体グループのいずれか一つを選択し、前記選択したインターネット媒体グループに対する入札額を入力する広告主クライアントとを含んでなることを特徴とする、多数のインターネット媒体に広告を露出して広告効率を極大化するオークションシステム。
【請求項２】
前記オークションサーバーは、  
前記広告主クライアントに前記多数のインターネット媒体グループに対する情報を提供して、前記広告主クライアントによって選択されたインターネット媒体グループに対するオークションに参加した他の広告主クライアントの入札内訳を提供し、前記広告主クライアントによって選択されたインターネット媒体グループに対する入札額および前記選択されたインターネット媒体グループの広告領域の位置情報を含む入札内訳の入力を受ける入札インターフェース部と、
前記入札インターフェース部に入力された入札内訳が格納されるデータベース部と、
前記広告主クライアントによって選択されたインターネット媒体グループに対して提示された入札額から算出される最大利益率と、前記広告主クライアントによって選択されたインターネット媒体グループに対して提示された入札額および前記広告主クライアントの広告に対する利用者クリック率から算出される最大利益率と、前記広告主クライアントによって提示された入札額および前記広告主クライアントの広告による利用者アクションの発生件数から算出される最大利益率のうちいずれか一つで決定される順位に応じて、前記選択されたインターネット媒体グループに広告を掲載する１人の広告主クライアントまたは２人以上の多数の広告主クライアントを選定する入札処理部と、
前記入札処理部で選定された広告主クライアントの広告を、前記広告主クライアントによって選択された前記インターネット媒体グループに送り出す広告送出部とを含んでなることを特徴とする、請求項１に記載の多数のインターネット媒体に広告を露出して広告効率を極大化するオークションシステム。
【請求項３】
前記多数のインターネット媒体グループに対する情報は、
前記多数のインターネット媒体グループにそれぞれ属するインターネット媒体それぞれの広告領域の位置情報、および前記多数のインターネット媒体グループに対してオークションシステムによって任意に予め指定されたそれぞれの最大利益率の順位に該当するそれぞれの広告主クライアントの広告露出比率のうち少なくとも一つを含むことを特徴とする、請求項２に記載の多数のインターネット媒体に広告を露出して広告効率を極大化するオークションシステム。
【請求項４】
前記他の広告主クライアントの入札内訳それぞれは、
前記選択されたインターネット媒体グループに対して提示された入札額から算出される最大利益率と、前記入札額および前記選択されたインターネット媒体グループに広告を掲載した一定期間のクリック率から算出される最大利益率と、前記入札額および前記選択されたインターネット媒体グループに掲載された広告主クライアントの広告による利用者のアクションの発生件数から算出される最大利益率のうち少なくとも一つを含んでなることを特徴とする、請求項２に記載の多数のインターネット媒体に広告を露出して広告効率を極大化するオークションシステム。
【請求項５】
前記入札インターフェース部は、
前記広告主クライアントに、前記多数のインターネット媒体グループにそれぞれ属するインターネット媒体それぞれの目録を提供することをさらに含むことを特徴とする、請求項２に記載の多数のインターネット媒体に広告を露出して広告効率を極大化するオークションシステム。
【請求項６】
前記入札インターフェース部は、
前記広告主クライアントから前記選択されたインターネット媒体グループに掲載される広告の詳細情報の入力を受けることをさらに含むことを特徴とする、請求項２に記載の多数のインターネット媒体に広告を露出して広告効率を極大化するオークションシステム。
【請求項７】
前記入札処理部は、
前記オークションサーバーに設定された所定の時間毎に、前記選択されたインターネット媒体グループに広告を掲載する広告主クライアントを、前記最大利益率によって決定される順位に応じて周期的に再選定することを特徴とする、請求項２に記載の多数のインターネット媒体に広告を露出して広告効率を極大化するオークションシステム。
【請求項８】
前記広告送出部は、
前記入札処理部が前記選択されたインターネット媒体グループに広告を掲載する２人以上の多数の広告主クライアントを選定した場合、前記最大利益率の順位に応じて露出比率を差等適用して、前記選択されたインターネット媒体グループに広告を送り出すことを特徴とする、請求項２に記載の多数のインターネット媒体に広告を露出して広告効率を極大化するオークションシステム。
【請求項９】
前記広告送出部が送り出す広告は、
バナー広告、キーワード広告、テキスト広告および動画像広告のうちいずれか一つであることを特徴とする、請求項８に記載の多数のインターネット媒体に広告を露出して広告効率を極大化するオークションシステム。
【請求項１０】
前記広告主クライアントの入金口座残高を確認し、前記広告主クライアントに広告費用の入金を要請する口座管理部と、
前記選定された広告主クライアントによって選択されたインターネット媒体グループに属するインターネット媒体それぞれに対して、前記広告送出部が送り出した前記選定された広告主クライアントの広告に対する露出数とクリック数、および送り出された広告による利用者アクションの発生件数を収集して前記データベース部に格納するウェブログ処理部と、
前記選択されたインターネット媒体グループに属するインターネット媒体それぞれに対して、前記ウェブログ処理部が収集した前記広告に対する露出数とクリック数、および送り出された広告による利用者アクションの発生件数に基づいて前記広告主クライアントに広告費用を精算する費用処理部とをさらに含むことを特徴とする、請求項２に記載の多数のインターネット媒体に広告を露出して広告効率を極大化するオークションシステム。
【請求項１１】
前記費用処理部は、
ＣＰＣ（クリック当たりの費用課金方式）、ＣＰＭ（露出当たりの費用課金方式）およびＣＰＡ（実績当たりの費用課金方式）のうち、前記広告主クライアントによって選択されたいずれか一つの方式で広告費用を精算することを特徴とする、請求項１０に記載の多数のインターネット媒体に広告を露出して広告効率を極大化するオークションシステム。
【請求項１２】
オークションサーバーの入札インターフェース部が、広告主クライアントに多数のインターネット媒体の一部または全部がグループ化された多数のインターネット媒体グループに対する情報を提供し、前記広告主クライアントによって選択されたインターネット媒体グループに対するオークションに参加した他の広告主クライアントの入札内訳を提供する第１段階と、
前記オークションサーバーの入札インターフェース部が提供した前記多数のインターネット媒体グループのうちいずれか一つが前記広告主クライアントによって選択され、前記選択されたインターネット媒体グループに対する前記広告主クライアントによって記入された入札額と課金方式を含む入札内訳の入力を前記オークションサーバーの入札インターフェース部が受ける第２段階と、
前記オークションサーバーのデータベース部が前記入札インターフェース部に入力された入札内訳を格納する第３段階と、
前記オークションサーバーの入札処理部がオークション周期が到来したか否かを確認し、前記データベース部に格納され前記広告主クライアントによって選択されたインターネット媒体グループに対して提示された入札額から算出される最大利益率と、前記広告主クライアントによって選択されたインターネット媒体グループに対して提示された入札額および前記広告主クライアントの広告に対する利用者アクションの発生件数から算出される最大利益率と、前記広告主クライアントの入札額および前記広告主クライアントの広告による利用者アクションの発生件数から算出される最大利益率のうちいずれか一つで決定される順位に応じて、前記選択されたインターネット媒体グループに広告を掲載する１人の広告主クライアントまたは２人以上の多数の広告主クライアントを選定する第４段階と、
前記オークションサーバーの広告送出部が前記入札処理部で選定された広告主クライアントの広告を前記選択されたインターネット媒体グループに送り出す第５段階とを含んでなることを特徴とする、多数のインターネット媒体に広告を露出して広告効率を極大化するオークションシステムの運営方法。
【請求項１３】
前記多数のインターネット媒体グループに対する情報は、
前記多数のインターネット媒体グループにそれぞれ属するインターネット媒体それぞれの広告領域の位置情報、および前記多数のインターネット媒体グループに対してオークションシステムによって任意に予め指定されたそれぞれの最大利益率の順位に該当するそれぞれの広告主クライアントの広告露出費用のうち少なくとも一つを含むことを特徴とする、請求項１２に記載の多数のインターネット媒体に広告を露出して広告効率を極大化するオークションシステムの運営方法。
【請求項１４】
前記他の広告主クライアントの入札内訳それぞれは、
前記選択されたインターネット媒体グループに対して提示された入札額から算出される最大利益率と、前記入札額および前記選択されたインターネット媒体グループに広告を掲載した一定期間のクリック率から算出される最大利益率と、前記入札額および前記選択されたインターネット媒体グループに掲載された広告主クライアントの広告による利用者アクションの発生件数から算出される最大利益率のうち少なくとも一つを含むことを特徴とする、請求項１２に記載の多数のインターネット媒体に広告を露出して広告効率を極大化するオークションシステムの運営方法。
【請求項１５】
前記第１段階は、
前記オークションサーバーの入札インターフェース部が、前記多数のインターネット媒体グループにそれぞれ属するインターネット媒体の目録を前記広告主クライアントに提供することをさらに含むことを特徴とする、請求項１２に記載の多数のインターネット媒体に広告を露出して広告効率を極大化するオークションシステムの運営方法。
【請求項１６】
前記第５段階の後に、前記第４段階を前記オークションサーバーに設定された所定の時間毎に周期的に繰り返し行い、前記選択されたインターネット媒体グループに広告を掲載する広告主クライアントを再選定する段階をさらに含むことを特徴とする、請求項１２に記載の多数のインターネット媒体に広告を露出して広告効率を極大化するオークションシステムの運営方法。
【請求項１７】
前記第５段階は、
前記第４段階で前記オークションサーバーの入札処理部が前記選択されたインターネット媒体グループに広告を掲載する２人以上の多数の広告主クライアントを選定した場合に、前記最大利益率の順位に応じて露出比率を差等適用し、前記選択されたインターネット媒体グループに広告を送り出すことを特徴とする、請求項１２に記載の多数のインターネット媒体に広告を露出して広告効率を極大化するオークションシステムの運営方法。
【請求項１８】
前記第１段階の前に、前記オークションサーバーの入札インターフェース部が、前記オークションサーバーに接続した広告主クライアントの加入を会員として受ける段階と、オークションサーバーの口座管理部が前記広告主クライアントの入金口座残高を確認する段階と、前記オークションサーバーの入札インターフェース部が前記広告主クライアントから広告の入力を受ける段階とをさらに含み、
前記第５段階の後に、オークションサーバーのウェブログ処理部が、前記選択されたインターネット媒体グループに属するインターネット媒体それぞれに対して送り出された広告の露出数とクリック数、および送り出された広告による利用者アクションの発生件数を収集する段階と、オークションサーバーの費用処理部が前記オークションサーバーのウェブログ処理部によって収集された広告の露出数とクリック数、および送り出された広告による利用者アクションの発生件数に基づいて前記広告主クライアントに広告費用を精算する段階とをさらに含んでなることを特徴とする、請求項１２に記載の多数のインターネット媒体に広告を露出して広告効率を極大化するオークションシステムの運営方法。
【請求項１９】
オークションサーバーの費用処理部が、前記オークションサーバーのウェブログ処理部によって収集された広告の露出数とクリック数、および送り出された広告による利用者アクションの発生件数に基づいて前記広告主クライアントに広告費用を精算する段階は、
オークションサーバーの費用処理部が、ＣＰＣ（クリック当たりの費用課金方式）、ＣＰＭ（露出当たりの費用課金方式）およびＣＰＡ（実績当たりの費用課金方式）のうち、前記広告主クライアントによって選択されたいずれか一つの方式で広告費用を精算することを特徴とする、請求項１８に記載の多数のインターネット媒体に広告を露出して広告効率を極大化するオークションシステムの運営方法。
【請求項２０】
インターネット上でインターネット利用者に情報を提供し且つ広告が掲載できる広告領域を有する多数のインターネット媒体の一部または全部がグループされた多数のインターネット媒体グループをオークションサーバーが広告主クライアントに提供する段階と、
前記提供された多数のインターネット媒体グループのうちいずれか一つに広告を掲載する少なくとも一つの広告主クライアントを前記オークションサーバーがオークションを介して選定する段階と、
前記オークションサーバーが特定のインターネット媒体グループに対して選定された少なくとも一つの広告主クライアントの広告を前記特定のインターネット媒体グループへ広告収益の順位に応じて広告の露出比率を差等適用して送り出す段階とを含んでなることを特徴とする、多数のインターネット媒体に広告を露出して広告効率を極大化するオークションシステムの運営方法。
【請求項２１】
前記広告収益の順位は、
前記特定のインターネット媒体グループに対して選定された広告主クライアントによって提示された入札額から算出される最大利益率と、前記特定のインターネット媒体グループに対して選定された広告主クライアントによって提示された入札額およびその広告主クライアントの広告に対する利用者クリック率から算出される最大利益率と、前記特定のインターネット媒体グループに対して選定された広告主クライアントによって提示された入札額およびその広告主クライアントの広告による利用者アクションの発生件数から算出される最大利益率のうちいずれか一つで決定される順位であることを特徴とする、請求項２０に記載の多数のインターネット媒体に広告を露出して広告効率を極大化するオークションシステムの運営方法。
【発明の詳細な説明】
【技術分野】
【０００１】
本発明は、多数のインターネット媒体に広告を露出して広告効率を極大化するオークションシステムおよび運営方法に係り、さらに詳しくは、本発明のオークションサーバーが、多数のインターネット媒体の一部または全部が情報特性や種類などの所定の条件によってグループ化された多数のインターネット媒体グループに対する情報を提供し、多数のインターネット媒体グループのいずれか一つに対して様々なオークション方式による広告主クライアント間の競争を介して、前記多数のインターネット媒体グループのうちいずれか一つのインターネット媒体グループの広告領域を占有するようにすることにより、インターネット上の広告領域の運営者は広告収益を極大化することができ、広告主クライアントは前記インターネット媒体グループに属する多数のインターネット媒体上の広告領域を占有することにより期待する広告効果を得ることができる、多数のインターネット媒体に広告を露出して広告効率を極大化するオークションシステムおよび運営方法に関する。
【背景技術】
【０００２】
従来では、インターネット上で多数の特定のインターネット媒体に同時多発的に広告を掲載するために、インターネット媒体運営者のインターネット広告システムまたはインターネット媒体の運営者を代行する広告代行業者のインターネット広告システムを介して広告主クライアントが所定の金額の広告料を支払う形式で広告契約が行われた。ところが、このような方法において、インターネット媒体の運営者は広告受注額を極大化することができず、広告主クライアントは自分の広告が所望の頻度で前記インターネット媒体に掲載されるものではなかったため、広告主クライアントが期待するほどの広告効果を得ることができなかった。
【０００３】
他の従来の技術としては、インターネット媒体運営者のインターネット広告システムまたはインターネット媒体の運営者を代行する広告代行業者のインターネット広告システムにおいてインターネット媒体に対するオークションを行って前記インターネット媒体に広告を掲載する広告主クライアントを選定する方法があった。ところが、このような方法において、特定のインターネット媒体に対するオークションに入札するために、多数の広告主クライアントは全て同一の課金方式でオークションに参加しなければならなかった。前記インターネット媒体に広告を掲載することができるように選定された場合にも、前記多数のインターネット媒体に対する広告の露出比率およびそれによる広告費消尽率を調節することはできなかった。
【０００４】
したがって、特定のインターネット媒体の運営者は自分のインターネット媒体上の広告領域を用いて広告収入を極大化し、広告主クライアントは好む課金方式で多数のインターネット媒体に対するオークションに参加して、前記多数のインターネット媒体に存在する広告領域に対する広告の露出比率およびそれによる広告費消尽率の調節が可能であって戦略的な広告運営を行えるようにする、より現実で活用度の高い解決方案が切実に求められる実情である。
【発明の開示】
【技術的課題】
【０００５】
そこで、本発明は、広告主クライアントの間に、多数のインターネット媒体上に存在する広告領域を占有するために、多数のインターネット媒体の一部または全部がグループ化した多数のインターネット媒体グループのうち選択されたインターネット媒体グループに対して課金方式の制限なくオークションを行い、最大利益率に応じて選定された多数の広告主クライアントに前記インターネット媒体グループ上の広告領域を提供することにより、前記インターネット媒体グループに属するインターネット媒体それぞれの運営者は自分のインターネット媒体上の広告領域を用いて広告収入を極大化し、広告主クライアントは好む課金方式で多数のインターネット媒体からなるインターネット媒体グループに対するオークションに参加し、前記インターネット媒体グループに属するインターネット媒体それぞれに存在する広告領域に対する広告の露出比率およびそれによる広告費消尽率の調節が可能であって戦略的な広告運営が可能である。
【技術的解決方法】
【０００６】
上記目的を達成するための本発明の一実施例によれば、インターネット上で不特定多数のインターネット利用者に情報を提供し且つ広告が掲載できる広告領域を有する多数のインターネット媒体と、前記多数のインターネット媒体の一部または全部がグループ化された多数のインターネット媒体グループを加入された会員に提供し、オークションを介して、前記多数のインターネット媒体グループのいずれか一つに広告を掲載するために、オークションに参加した会員のうち広告を掲載する会員を選定するオークションサーバーと、前記オークションサーバーに接続して広告を掲載する会員として加入し、前記提供された多数のインターネット媒体グループ情報を照会して前記多数のインターネット媒体グループのうちいずれか一つを選択し、前記選択したインターネット媒体グループに対する入札額を入力する広告主クライアントとを含んでなる、多数のインターネット媒体に広告を露出して広告効率を極大化するオークションシステムを提供する。
【０００７】
また、上記目的を達成するための本発明の他の一実施例によれば、オークションサーバーの入札インターフェース部が、多数のインターネット媒体の一部または全部がグループ化された多数のインターネット媒体グループに対する情報を 広告主クライアントに提供し、前記広告主クライアントによって選択されたインターネット媒体グループに対するオークションに参加した他の広告主クライアントの入札内訳を提供する第１段階と、前記オークションサーバーの入札インターフェース部が提供した前記多数のインターネット媒体グループのいずれか一つが前記広告主クライアントによって選択され、前記選択されたインターネット媒体グループに対する前記広告主クライアントによって記入された入札額と課金方式を含む入札内訳の入力を前記オークションサーバーの入札インターフェース部が受ける第２段階と、前記オークションサーバーのデータベース部が前記入札インターフェース部に入力された入札内訳を格納する第３段階と、前記オークションサーバーの入札処理部がオークション周期が到来したか否かを確認し、前記データベース部に格納され前記広告主クライアントによって選択されたインターネット媒体グループに対して提示された入札額から算出される最大利益率と、前記広告主クライアントによって選択されたインターネット媒体グループに対して提示された入札額および前記広告主クライアントの広告に対する利用者クリック率から算出される最大利益率と、前記広告主クライアントの入札額および前記広告主クライアントの広告による利用者アクションの発生件数から算出される最大利益率のうちいずれか一つで決定される順位に応じて、前記選択されたインターネット媒体グループに広告を掲載する１人の広告主クライアントまたは２人以上の多数の広告主クライアントを選定する第４段階と、前記オークションサーバーの広告送出部が、前記入札処理部で選定された広告主クライアントの広告を前記選択されたインターネット媒体グループに送り出す第５段階とを含んでなる、多数のインターネット媒体に広告を露出して広告効率を極大化するオークションシステムの運営方法を提供する。
【０００８】
上記目的を達成するための本発明の別の一実施例によれば、インターネット上でインターネット利用者に情報を提供し且つ広告が掲載できる広告領域を有する多数のインターネット媒体の一部または全部がグループされた多数のインターネット媒体グループをオークションサーバーが広告主クライアントに提供する段階と、前記提供された多数のインターネット媒体グループのいずれか一つに広告を掲載する少なくとも一つの広告主クライアントを前記オークションサーバーがオークションを介して選定する段階と、前記オークションサーバーが特定のインターネット媒体グループに対して選定された少なくとも一つの広告主クライアントの広告を前記特定のインターネット媒体グループへ広告収益の順位に応じて広告露出比率を差等適用して送り出す段階とを含んでなる、多数のインターネット媒体に広告を露出して広告効率を極大化するオークションシステムの運営方法を提供する。
【有利な効果】
【０００９】
したがって、本発明は、多数のインターネット媒体の一部または全部が情報特性や種類などの所定の条件によってグループされた多数のインターネット媒体グループのいずれか一つに対して広告主クライアントの間に課金方式の制限なくオークションを行い、最大利益率に応じて選定された多数の広告主クライアントに前記オークションを行ったインターネット媒体グループ上の広告領域を提供することにより、前記インターネット媒体グループの運営者は自分のインターネット媒体グループ上の広告領域を用いて広告収入を極大化し、広告主クライアントは好む課金方式でインターネット媒体グループに対するオークションに参加し、前記インターネット媒体グループに存在する広告領域に対する広告の露出比率およびそれによる広告費消尽率の調節が可能であって戦略的な広告運営が可能である。
【図面の簡単な説明】
【００１０】
図１は本発明の実施例に係る多数のインターネット媒体に広告を露出して広告効率を極大化するオークションシステムの構成図である。
【００１１】
図２は図１によるオークションシステムの入札過程でインターネット媒体グループの目録をディスプレイした状態を示す例示図である。
【００１２】
図３は図１によるオークションシステムの入札過程で選択されたインターネット媒体グループに対する入札内訳のディスプレイ状態を示す例示図である。
【００１３】
図４は本発明の他の実施例に係る多数のインターネット媒体に広告を露出して広告効率を極大化するオークションシステムの運営方法を示す流れ図である。
【発明を実施するための最善の様態】
【００１４】
以下に添付図面を参照しながら、本発明の好適な実施例を詳細に説明する。
【００１５】
図１は本発明の実施例に係る多数のインターネット媒体に広告を露出して広告効率を極大化するオークションシステムの構成図である。
【００１６】
本発明の実施例に係る多数のインターネット媒体に広告を露出して広告効率を極大化するオークションシステムは、インターネット上で不特定多数のインターネット利用者に情報を提供し且つ広告が掲載できる広告領域を有する多数のインターネット媒体と、前記多数のインターネット媒体の一部または全部がグループ化された多数のインターネット媒体グループ３００を加入された会員に提供し、オークションを介して前記多数のインターネット媒体グループ３００のいずれか一つ３００に広告を掲載するためにオークションに参加した会員のうち、広告を掲載する会員を選定するオークションサーバー１００と、前記オークションサーバー１００に接続して広告を掲載する会員として加入し、前記提供された多数のインターネット媒体グループ３００を照会して前記多数のインターネット媒体グループ３００のうちいずれか一つを選択し、前記選択したインターネット媒体グループ３００に対する入札額を記入する広告主クライアント２００とを含んでなる。
【００１７】
さらに詳しくは、前記オークションサーバー１００は、入札インターフェース部１１０、データベース部１２０、入札処理部１３０および広告送出部１４０から構成される。また、前記オークションサーバー１００は、ウェブログ処理部１５０、口座管理部１６０および費用処理部１７０をさらに含んでなる。
【００１８】
前記入札インターフェース部１１０は、前記広告主クライアント２００に前記多数のインターネット媒体グループ３００のうちいずれか一つを選択するように前記多数のインターネット媒体グループ３００を提供し、前記広告主クライアント２００によって選択されて記入されたインターネット媒体グループ３００に対する入札額の入力を受ける。
【００１９】
すなわち、前記入札インターフェース部１１０は、前記多数のインターネット媒体グループ３００に対する情報を提供し、前記広告主クライアント２００によって選択されたインターネット媒体グループ３００に対するオークションに参加した他の広告主クライアントの入札内訳を提供し、前記広告主クライアントによって選択されたインターネット媒体グループに対する入札額と前記選択されたインターネット媒体グループの広告領域の位置情報を含む入札内訳の入力を受ける。
【００２０】
前記多数のインターネット媒体グループに対する情報は、前記多数のインターネット媒体グループにそれぞれ属するインターネット媒体それぞれの広告領域の位置情報と、前記多数のインターネット媒体グループに対してオークションシステムによって任意に予め指定されたそれぞれの最大利益率の順位に該当するそれぞれの広告主クライアントの広告露出費用のうち少なくとも一つを含む。
【００２１】
前記他の広告主クライアントの入札内訳それぞれは、前記選択されたインターネット媒体グループに対して提示された入札額から算出される最大利益率と、前記入札額および前記選択されたインターネット媒体グループに広告を掲載した一定期間のクリック率から算出される最大利益率と、前記入札額および前記選択されたインターネット媒体グループに掲載された広告主クライアントの広告による利用者アクションの発生件数から算出される最大利益率のうち少なくとも一つを含む。
【００２２】
図２は図１によるオークションシステムの入札過程でインターネット媒体の目録をディスプレイした状態を示す例示図である。
【００２３】
図２に示すように、前記入札インターフェース部１１０は、前記広告主クライアント２００に前記多数のインターネット媒体グループの目録をさらに提供する。前記広告主クライアント２００は、提供された前記多数のインターネット媒体グループの目録の中から少なくとも一つのインターネット媒体グループを選択することができる。また、前記広告主クライアント２００は、一つのインターネット媒体グループに属する少なくとも一つのインターネット媒体のうち一部または全部を選択することもできる。
【００２４】
前記入札インターフェース部１１０は、それぞれのインターネット媒体グループ３００に該当する単位期間別の露出数、クリック数、最低入札額、平均クック率などの詳細情報をさらに提供し、これに基づいてそれぞれのインターネット広告主クライアント２００は入札するか否かを決定する。
【００２５】
前記露出数は、単位期間別に前記インターネット媒体グループ３００を介してインターネット使用者に広告が露出される回数である。
【００２６】
前記最低入札額は、前期オークション期間に前記インターネット媒体グループ３００に広告を掲載した広告主クライアント２００のオークション最低入札額である。
【００２７】
前記最高入札額は、前期オークション期間に前記インターネット媒体グループ３００に広告を掲載した広告主クライアント２００のオークション最高入札額である。
【００２８】
前記平均クリック率は、前記インターネット媒体グループ３００を介して単位期間別に広告がインターネット使用者に露出される回数である露出数と、インターネット使用者が前記露出された広告を選択する回数であるクリック数の比率によって算出した数値である。
【００２９】
前記入札インターフェース部１１０は、前記広告主クライアント２００が特定のインターネット媒体グループ３００を選択し、入札するか否かを決定すると、広告主クライアント２００が選択した前記インターネット媒体グループ３００に対する入札額を記入することができる。
【００３０】
図３は本発明に係るオークションシステムの入札過程で選択されたインターネット媒体に対する入札内訳のディスプレイ状態を示す例示図である。
【００３１】
図３に示すように、前記入札インターフェース部１１０は、選択されたインターネット媒体グループ３００に対するオークションに参加した他の広告主クライアント２００の入札額、最大利益率およびクリック率を含む入札内訳を前記広告主クライアント２００にさらに提供する。
【００３２】
しかも、前記入札インターフェース部１１０は、オークションで選定された場合、前記インターネット媒体グループ３００に掲載する広告の入力を受ける。
【００３３】
前記インターネット媒体グループ３００に掲載する広告は、バナー広告、キーワード広告、テキスト広告および動画像広告のうちいずれか一つを選択的に入力することができる。
【００３４】
前記データベース部１２０は、前記入札インターフェース部１１０から入力を受けた前記入札額、クリック率、最大利益率および課金方式などを含む入札内訳が格納され、前記選択されたインターネット媒体グループ３００に属するそれぞれのインターネット媒体に対する詳細情報が格納される。
【００３５】
また、前記データベース部１２０は、前記ウェブログ処理部１５０が収集した前記インターネット媒体グループ３００に属するインターネット媒体それぞれに掲載された広告に対する露出数とクリック数、および前記掲載された広告を介して発生した利用者アクションの発生件数が格納される。前記露出情報は前記広告の露出数を含み、前記クリック情報は前記広告のクリック数を含む。前記露出情報と前記クリック情報は前記入札インターフェース部１１０を介して広告主クライアント２００に提供される。前記利用者アクションは、広告主クライアントが広告を介して行われる会員加入、物品販売などのインターネット利用者の期待行為を意味する。
【００３６】
しかも、前記データベース部１２０は、前記インターネット媒体グループ３００に掲載される広告が格納される。
【００３７】
前記入札処理部１３０は、前記データベース部１２０に格納された入札内訳によって、前記インターネット媒体グループ３００に広告を掲載する広告主クライアント２００を選定する。
【００３８】
前記入札処理部１３０は、前記入札額から算出される最大利益率、前記入札額と前記広告に対する利用者クリック率から算出される最大利益率、および前記入札額と前記広告による利用者アクションの発生件数から算出される最大利益率のうちいずれか一つの順位に応じて、前記インターネット媒体グループ３００に広告を掲載する広告主クライアント２００を選定する。
【００３９】
最大利益率の順位に応じて広告主クライアント２００を選定する場合、前記最大利益率は、前記広告主クライアント２００が過去に広告を掲載した一定期間のクリック率や入札額、利用者アクションの発生件数、露出数などを用いて算出する（ここで、クリック率は広告の露出数とクリック数との比率で算出する。）。
【００４０】
前記広告主クライアント２００が選択したインターネット媒体グループ３００に同じ広告を既存に掲載した履歴がある場合には、過去に広告を掲載した期間のクリック率を用い、前記広告主クライアント２００が選択したインターネット媒体グループ３００に同じ広告を既存に掲載した履歴がない場合には、選択したインターネット媒体グループ３００の平均クリック率を用いるか、或いは前記広告サーバー１００が既に指定した任意の値を前記クリック率の代わりに用いて、最大利益率を計算することができる。インターネット媒体グループ３００の平均クリック率を用いて最大利益率を計算する場合、オークションに最初参加した広告主クライアント２００に既存の広告主クライアントと新規の広告主クライアントとの間にある程度公正な機会を与えるのである。前記広告主クライアント２００が入力したそれぞれの課金方式別に区切りをせず制限なく前記最大利益率を用いて、広告を掲載する広告主クライアント２００を選定することができる。
【００４１】
それぞれの課金方式別に、最大利益率は次のように算出する。
【００４２】
−クリック当たりの費用課金方式（ＣＰＣ、Cost Per Click）：入札額×クリック率
−露出当たりの費用課金方式（ＣＰＭ、Cost Per Mile）：入札額×１／１０００
−実績当たりの費用課金方式（ＣＰＡ、Cost Per Action）：入札額×利用者アクションの発生件数／露出数
或いは、前記入札額の順位に応じて広告主クライアント２００を選定することもできる。
【００４３】
前記入札処理部１３０は、前記入札内訳によって１人の広告主クライアントまたは２人以上の多数の広告主クライアントを選定する。
【００４４】
前記入札処理部１３０は、前記オークションサーバー１００に設定された所定の時間毎に、前記インターネット媒体グループ３００に広告を掲載する広告主クライアント２００を周期的に再選定する。
【００４５】
前記広告送出部１４０は、前記入札処理部１３０で選定された広告主クライアント２００の広告を前記インターネット媒体グループ３００に送り出す。前記広告送出部１４０は、前記データベース部１２０に格納されている広告を、前記広告主クライアント２００が選択した前記インターネット媒体グループ３００に一括的に送り出す。前記インターネット媒体グループ３００に、２人以上の多数の広告主クライアント２００が選定された場合には入札額または最大利益率の順位に応じて広告の露出比率を差等適用して前記インターネット媒体グループ３００に送り出す。
【００４６】
前記ウェブログ処理部１５０は、前記広告送出部１４０が送り出した前記広告に対する露出数とクリック数、および送り出された広告による利用者アクションの発生件数を収集して前記データベース部１２０に格納する。
【００４７】
前記口座管理部１６０は、前記広告主クライアント２００の入金口座の残高を確認し、残高が前記オークションサーバー１００に既に指定された最小残高より少ない場合に前記広告主クライアント２００に広告費用の入金を要請する。
【００４８】
前記費用処理部１７０は、前記ウェブログ処理部１５０が収集した前記インターネット媒体グループ３００に属するインターネット媒体それぞれに対する前記広告に対する露出数とクリック数、および送り出された広告による利用者アクションの発生件数に基づいて前記広告主クライアント２００に広告費用を精算する。
【００４９】
図４は本発明の他の実施例に係る多数のインターネット媒体に広告を露出して広告効率を極大化するオークションシステムの運営方法を示す流れ図である。インターネットを介して広告主クライアントに多数のインターネット媒体上の広告領域を提供するオークションサーバーからなる、多数のインターネット媒体に広告を露出して広告効率を極大化するオークションシステムの運営方法は次のとおりである。
【００５０】
図４に示すように、本発明の実施例に係る多数のインターネット媒体に広告を露出して広告効率を極大化するオークションシステムの運営方法は、インターネット上でインターネット利用者に情報を提供し且つ広告が掲載できる広告領域を有する多数のインターネット媒体のうち一部または全部がグループ化された多数のインターネット媒体グループをオークションサーバーが広告主クライアントに提供する段階（Ｓ４０）と、前記提供された多数のインターネット媒体グループのうちいずれか一つに広告を掲載する少なくとも一つの広告主クライアントを前記オークションサーバーがオークションを介して選定する段階（Ｓ５０、Ｓ６０、Ｓ７０）と、前記オークションサーバーが特定のインターネット媒体グループに対して選定された少なくとも一つの広告主クライアントの広告を前記特定のインターネット媒体グループへ広告収益の順位に応じて広告露出比率を差等適用して送り出す段階（Ｓ８０）とを含んでなる。
【００５１】
さらに詳しくは、本発明の実施例に係る多数のインターネット媒体に広告を露出して広告効率を極大化するオークションシステムの運営方法は、オークションサーバー１００の入札インターフェース部１１０が、多数のインターネット媒体の一部または全部がグループ化された多数のインターネット媒体グループ３００、前記多数のインターネット媒体グループ３００に該当する過去の単位期間別の露出数やクリック数、最低入札額、最高入札額、平均クリック率（ここで、平均クリック率は、前記露出数とインターネット使用者が前記インターネット媒体グループに露出された広告を選択する回数であるクリック数の比率から算出した数値である。）などの詳細情報、並びに前記広告主クライアント２００によって選択されたインターネット媒体グループ３００に対するオークションに参加した他の広告主クライアント２００の入札額、課金方式および過去に広告を掲載した一定期間のクリック率を含む入札内訳を前記広告主クライアント２００に提供する第１段階（Ｓ４０）と、前記オークションサーバー１００の入札インターフェース部１１０が提供した多数のインターネット媒体グループ３００のうちいずれか一つが前記広告主クライアント２００によって選択され、前記選択されたインターネット媒体グループ３００に対する前記広告主クライアント２００によって記入された入札額と課金方式を含む入札内訳の入力を前記オークションサーバー１００の入札インターフェース部１１０が受ける第２段階（Ｓ５０）と、前記オークションサーバー１００のデータベース部１２０が前記入札インターフェース部１１０に入力された入札内訳を格納する第３段階（Ｓ６０）と、前記オークションサーバー１００の入札処理部１３０がオークション周期が到来したか否かを確認し、前記選択されたインターネット媒体グループ３００に対して広告主クライアント２００によって提示された入札額から算出される最大利益率と、前記選択されたインターネット媒体グループ３００に対して広告主クライアント２００によって提示された入札額およびその広告主クライアント２００の広告を掲載した一定期間のクリック率（ここで、前記広告主クライアントが過去に広告を掲載した履歴がない場合には、選択したインターネット媒体３００の平均クリック率を用いるか、或いは前記広告サーバー１００が既に指定した任意の値が前記クリック率に代える。）から算出される最大利益率と、前記選択されたインターネット媒体グループ３００に対して広告主クライアント２００によって提示された入札額およびその広告主クライアント２００の広告による利用者アクションの発生件数から算出される最大利益率のうちいずれか一つで決定される順位に応じて、前記選択されたインターネット媒体グループ３００に広告を掲載する１人の広告主クライアント２００または２人以上の多数の広告主クライアント２００を選定する第４段階（Ｓ７０）と、前記オークションサーバー１００の広告送出部１４０が前記入札処理部１３０で選定された広告主クライアント２００の広告を前記選択されたインターネット媒体グループ３００に送り出す第５段階（Ｓ８０）とを含んでなる。
【００５２】
また、前記第１段階の前に、前記オークションサーバー１００の入札インターフェース部１１０が、前記オークションサーバー１００に接続した広告主クライアント２００に対して会員として加入を受ける段階（Ｓ１０）と、前記オークションサーバー１００の口座管理部１６０が前記広告主クライアント２００の入金口座残高を確認する段階（Ｓ２０）と、前記オークションサーバー１００の入札インターフェース部１００が前記広告主クライアント２００から広告の入力を受ける段階（Ｓ３０）とをさらに含み、前記第５段階の後に、前記オークションサーバー１００のウェブログ処理部１５０が前記インターネット媒体グループ３００に属するインターネット媒体それぞれに送り出された広告の露出数とクリック数、および送り出された広告による利用者アクションの発生件数を収集する段階（Ｓ９０）と、前記オークションサーバー１００の費用処理部１７０が、前記ウェブログ処理部１５０によって収集された広告の露出数とクリック数および送り出された広告による利用者アクションの発生件数に基づいて、前記インターネット媒体グループ３００に属するインターネット媒体それぞれに対する広告費用を前記広告主クライアント２００に精算する段階（Ｓ１００）とをさらに含んでなる。
【００５３】
次に、上述したような本発明の実施例に係る多数のインターネット媒体に広告を露出して広告効率を極大化するオークションシステムの運営方法について詳細に説明する。
【００５４】
まず、前記インターネット媒体グループ３００に対するオークションに参加するために、前記広告主クライアント２００は、前記オークションサーバー１００に接続して入札インターフェース部１１０で会員加入を行う（Ｓ１０）。既に会員として登録された広告主クライアント２００の場合、前記オークションサーバー１００の口座管理部１６０が前記広告主クライアント２００の入金口座残高を確認し、会員として登録されていない広告主クライアントの場合に会員加入を行った後、前記オークションサーバー１００の口座管理部１６０が前記広告主クライアント２００の入金口座残高を確認する（Ｓ２０）。
【００５５】
入金口座残高を確認する場合、前記オークションサーバー１００の口座管理部１６０が前記広告主クライアント２００の入金口座に広告を掲載するための最小残高以上の金額が預けられているかを確認する。オークションサーバー１００で既に指定した最小残高以上の金額が前記入金口座に預けられていない場合には、前記広告主クライアント２００に少なくとも最小残高以上の広告費用入金を要請する。
【００５６】
段階Ｓ３０において、前記オークションサーバー１００の入札インターフェース部１１０は、後述の段階Ｓ７０で広告を掲載する広告主クライアント２００が選定される場合、前記インターネット媒体グループ３００に掲載される広告の入力を受ける。前記入力を受ける広告はバナー広告、キーワード広告、テキスト広告および動画像広告のいずれか一つであることが好ましい。
【００５７】
次に、第１段階（Ｓ４０）について説明すると、前記オークションサーバー１００の入札インターフェース部１１０が、前記選択されたインターネット媒体グループ３００に属するインターネット媒体それぞれの目録を前記広告主クライアント２００に提供する。また、前記インターネット媒体グループ３００に該当する過去の単位時間当たりの広告の露出数、クリック数、最低入札額、最高入札額、平均クリック率などの詳細情報をさらに提供し、これに基づいてそれぞれの広告主クライアント２００が入札するか否かを決定する。
【００５８】
また、前記第１段階（Ｓ４０）において、前記オークションサーバー１００の入札インターフェース部１００が、前記広告主クライアント２００に選択されたインターネット媒体グループ３００に対するオークションに参加した他の広告主クライアント２００の入札額、課金方式および最大利益率などの入札内訳を提供する。
【００５９】
第２段階（Ｓ５０）は、前記入札インターフェース部１１０によって提供された多数のインターネット媒体グループ３００の詳細情報を参考して、前記広告主クライアント２００が、広告が掲載されることを所望するインターネット媒体グループとして前記多数のインターネット媒体グループ３００のいずれか一つを選択する。特定のインターネット媒体グループ３００が選択されると、前記広告主クライアント２００が、前記入札インターフェース部１１０で提供した他の広告主クライアント２００の入札額や最大利益率などの入札内訳を参考して、前記選択されたインターネット媒体グループ３００に対する入札額および課金方式を入力する。
【００６０】
第３段階（Ｓ６０）において、前記オークションサーバー１００のデータベース部１２０が、前記広告主クライアント２００によって前記入札インターフェース部１１０に入力された入札額および課金方式などの入札内訳を格納する。
【００６１】
第４段階（Ｓ７０）において、前記入札処理部１３０が、オークション時の入札額から算出される最大利益率と、前記オークション時の入札額および広告に対する利用者クリック率から算出される最大利益率と、前記オークション時の入札額および前記広告による利用者アクションの発生件数から算出される最大利益率のうちいずれか一つで決定される順位に応じて広告主クライアント２００を選定する。
【００６２】
前記段階（Ｓ７０）は、前記オークションサーバー１００の入札処理部１３０がオークション周期が到来したか否かを確認する段階（Ｓ７１）と、前記オークションサーバー１００の入札処理部１３０が最大利益率の順位に応じて広告主クライアント２００を選定する段階（Ｓ７２）と、前記オークションサーバー１００の入札処理部１３０が入札額の順位に応じて広告主クライアント２００を選定する段階（Ｓ７３）とを含んでなる。
【００６３】
すなわち、前記オークションサーバー１００の入札処理部１３０が、オークション周期が到来したか否かを確認する（Ｓ７１）。オークション周期が未だ到来していない場合、前記入札処理部１３０は、開始段階に戻って入札待機状態になる。オークション周期が到来した場合、前記入札処理部１３０は前記インターネット媒体グループ３００に広告を掲載する広告主クライアント２００を選定する。
【００６４】
その後、前記オークションサーバー１００の入札処理部１３０が最大利益率の順位に応じて広告主クライアント２００を選定するが（Ｓ７２）、前記オークションサーバー１００の入札処理部１３０が最大利益率の順位に応じて、前記インターネット媒体グループ３００に広告を掲載する広告主クライアント２００を選定する。前記最大利益率は、前記広告主クライアント２００が過去に広告を掲載した一定期間のクリック率や入札額、利用者アクションの発生件数、露出数などを用いて算出し、前述したようにそれぞれの課金方式別に異なる方法で算出する。
【００６５】
前記広告主クライアント２００が選択したインターネット媒体グループ３００に同じ広告を既存に掲載した履歴がある場合には、過去に広告を掲載した期間のクリック率を用い、前記広告主クライアント２００が選択したインターネット媒体グループ３００に同じ広告を既存に掲載した履歴がない場合には、選択したインターネット媒体グループ３００の平均クリック率を用いるか、或いは前記広告サーバー１００が既に指定した任意の値を前記クリック率の代わりに用いて、最大利益率を計算することができる。オークションに初めて参加した広告主クライアント２００に当該インターネット媒体３００の平均クリック率を使用させることにより、既存の広告主クライアントと新規の広告主クリアンとの間にある程度公正な機会を与えることができる。
【００６６】
上述したように最大利益率を用いることにより、互いに異なる課金方式を選択して、オークションに入札した広告主クライアント２００に発生する広告収益を予測することができるため、それによる順位を決定し、広告を掲載する広告主クライアント２００を選定することができる。
【００６７】
オークションに参加した多数の広告主クライアントの中から、前記入札内訳によって１人の広告主クライアント２００または２人以上の多数の広告主クライアント２００が前記インターネット媒体３００に広告を掲載することができるように選定される。
【００６８】
前記オークションサーバー１００の入札処理部１３０が最大利益率の順位に応じて広告主クライアント２００を選定する場合（Ｓ７２）、広告主クライアント２００を選定する過程を具体的に説明すると、次のとおりである。
【００６９】
インターネット上の特定のインターネット媒体グループ３００を占有して広告を掲載しようとする６名の広告主クライアント（Ａ、Ｂ、Ｃ、Ｄ、Ｅ、Ｆ）がある。現在、本発明の広告システムにおいて、前記インターネット媒体グループ３００に対して、広告を掲載する広告主クライアントを選定しようとすう。前記６名の広告主クライントのうち、Ａ、Ｂ、Ｄ、Ｆは前記インターネット媒体グループ３００に広告を掲載しており、ＣとＥは前記インターネット媒体グループ３００に初めて広告を掲載しようとする。前記インターネッ媒体グループ３００の平均クリック率は０．０２である。広告主クライアントＤは昨月に１０万回の広告露出があり、１回の利用者アクションが発生したと仮定する。現在、次の周期の広告主クライアント選定のためのオークションが進行中にあり、それぞれの広告主クライアントの入札内訳は表１のとおりである。
【００７０】
【表１】
2012511205.tif 000003
【００７１】
今回に初めてオークションに入札する広告主クライアントＣ、Ｅのクリック率は、前記インターネット媒体グループ３００の平均クリック率０．０２を与えて最大利益率を算出する。
【００７２】
それぞれの課金方式別に、最大利益率は次のように算出する。
【００７３】
−クリック当たりの費用課金方式（ＣＰＣ、Cost Per Click）：入札額×クリック率
−露出当たりの費用課金方式（ＣＰＭ、Cost Per Mile）：入札額×１／１０００
−実績当たりの費用課金方式（ＣＰＡ、Cost Per Action）：入札額×利用者アクションの発生件数／露出数
したがって、前述したような方法で最大利益率を算出すると、Ａ、Ｂ、Ｃ、Ｄ、Ｅ、Ｆの順位で、前記インターネット媒体３００に広告を掲載する広告主クライアント２００が選定される。
【００７４】
前記オークションサーバー１００の入札処理部１３０が前記インターネット媒体グループ３００に広告を掲載する２人以上の多数の広告主クライアント２００を選定した場合、前記最大利益率の順位に応じて露出費用を差等適用して前記インターネット媒体グループ３００に広告を送り出すことができる。
【００７５】
前記オークションサーバー１００の入札処理部１３０が入札額の順位に応じて広告主クライアント２００を選定する場合（Ｓ７３）には、オークションに参加した多数の広告主クライアント２００のうち、前記入札額の順位に応じて、1人の広告主クライアント２００または２人以上の多数の広告主クライアント２００が前記インターネット媒体グループ３００に広告を掲載することができるように選定される。
【００７６】
前記段階Ｓ７３で広告主クライアントを選定する過程を表１を用いて具体的に説明すると、前記オークションサーバー１００の入札処理部１３０が入札額の順位に応じて広告主クライアント２００を選定する場合には、単に入札額の順位のみで広告主クライアント２００を選定するので、入札額の順位に応じてＤ、Ａ、Ｃ、Ｂ、Ｅ、Ｆの順に広告主クライアント２００が選定される。
【００７７】
第５段階（Ｓ８０）において、前記オークションサーバー１００の入札処理部１３０によって前記第４段階で選定された広告主クライアント２００の広告を前記広告送出部１４０が前記インターネット媒体グループ３００に送り出す。前記広告送出部１４０は、前記データベース部１２０に格納されている広告を前記インターネット媒体グループ３００に送り出す。前記インターネット媒体グループ３００に２人以上の多数の広告主クライアントが広告を行えるように選定された場合には、最大利益率または入札額の順位に応じてそれぞれの広告露出比率を差等適用して送り出すことができる。
【００７８】
段階Ｓ９０において、前記オークションサーバー１００のウェブログ処理部１５０が前記広告送出部１４０で前記インターネット媒体グループ３００に属するインターネット媒体それぞれに送り出した広告の露出数とクリック数、および送り出された広告による利用者アクションの発生件数を収集して前記データベース部１２０に格納する。
【００７９】
段階Ｓ１００は、前記ウェブログ処理部１５０によって収集された前記広告に対する露出数とクリック数、および送り出された広告による利用者アクションの発生件数に基づいて、前記費用処理部１６０が前記インターネット媒体グループ３００に属するインターネット媒体それぞれに対する広告費用を広告主クライアント２００に精算する。
【００８０】
例えば、広告主クライアント２００によってオークション入札の際に入力された課金方式に従い、ＣＰＣ（クリック当たりの費用課金方式）、ＣＰＭ（露出当たりの費用課金方式）およびＣＰＡ（実績当たりの費用課金方式）のうち、前記広告主クライアントによって選択されたいずれか一つの課金方式で広告費用が精算される（Ｓ１００）。
【００８１】
まず、クリック当たりの費用課金方式を用いる場合には、広告を掲載した期間の当該インターネット媒体グループ３００に掲載された広告のクリック数と入札額を用いて広告費用を算定し、露出当たりの費用課金方式を用いる場合には、広告を掲載した期間の該当インターネット媒体グループ３００に掲載された広告の露出数と入札額を用いて広告費用を算定することができる。また、実績当たりの費用課金方式を用いる場合には、広告を掲載した期間に広告主クライアント２００が前記広告を介して期待した利用者アクションの発生件数と入札額を用いて広告費用を算定することができる。
【００８２】
したがって、本発明は、広告主クライアント２００の間に、多数のインターネット媒体からなるインターネット媒体グループ３００上に存在する広告領域を占有するために課金方式の制限なくオークションを行い、最大利益率に基づいて選定された多数の広告主クライアント２００に前記インターネット媒体グループ３００上の広告領域を提供することにより、前記インターネット媒体グループ３００の運営者は前記インターネット媒体グループ３００の広告領域を用いて広告収入を極大化し、広告主クライアント２００は広告主クライアント本人が好む課金方式でオークションに参加してインターネット媒体グループ３００に対する広告の露出比率、およびそれによる広告費消尽率の調節が可能であって戦略的な広告運営が可能である。
【００８３】
以上、本発明について詳細に説明したが、その過程で言及した実施例は例示的なものに過ぎず、限定的なものではない。本発明は、以下の特許請求の範囲によって提供される本発明の技術的思想または分野から外れない範囲内において、均等に対処できる程度の構成要素変更は本発明の範囲に属するといえる。
【図１】
2012511205.tif 000004
【図２】
2012511205.tif 000005
【図３】
2012511205.tif 000006
【図４】
2012511205.tif 000007
【手続補正書】
【提出日】平成23年6月22日(2011.6.22)
【手続補正１】
【補正対象書類名】明細書
【補正対象項目名】全文
【補正方法】変更
【補正の内容】
【発明の詳細な説明】
【技術分野】
【０００１】
本発明は、多数のインターネット媒体に広告を露出して広告効率を極大化するオークションシステムおよび運営方法に関する。
すなわち、多数のインターネット媒体に広告を露出して広告効率を極大化するオークションシステムおよび運営方法に係り、さらに詳しくは、本発明のオークションサーバーが、多数のインターネット媒体の一部または全部が情報特性や種類などの所定の条件によってグループ化された多数のインターネット媒体グループに対する情報を提供し、多数のインターネット媒体グループのいずれか一つに対して様々なオークション方式による広告主クライアント間の競争を介して、多数のインターネット媒体グループのうちいずれか一つのインターネット媒体グループの広告領域を占有するようにする。これにより、インターネット上の広告領域の運営者は広告収益を極大化することができ、広告主クライアントは前記インターネット媒体グループに属する多数のインターネット媒体上の広告領域を占有することにより期待する広告効果を得ることができる。
【背景技術】
【０００２】
従来では、インターネット上で多数の特定のインターネット媒体に同時多発的に広告を掲載するために、インターネット媒体運営者のインターネット広告システムまたはインターネット媒体の運営者を代行する広告代行業者のインターネット広告システムを介して広告主クライアントが所定の金額の広告料を支払う形式で広告契約が行われた。ところが、このような方法において、インターネット媒体の運営者は広告受注額を極大化することができず、広告主クライアントは自分の広告が所望の頻度でインターネット媒体に掲載されるものではなかったため、広告主クライアントが期待するほどの広告効果を得ることができなかった。
【０００３】
他の従来の技術としては、インターネット媒体運営者のインターネット広告システムまたはインターネット媒体の運営者を代行する広告代行業者のインターネット広告システムにおいてインターネット媒体に対するオークションを行ってインターネット媒体に広告を掲載する広告主クライアントを選定する方法があった。ところが、このような方法において、特定のインターネット媒体に対するオークションに入札するために、多数の広告主クライアントは全て同一の課金方式でオークションに参加しなければならなかった。インターネット媒体に広告を掲載することができるように選定された場合にも、多数のインターネット媒体に対する広告の露出比率およびそれによる広告費消尽率を調節することはできなかった。
【０００４】
したがって、特定のインターネット媒体の運営者は自分のインターネット媒体上の広告領域を用いて広告収入を極大化し、広告主クライアントは好む課金方式で多数のインターネット媒体に対するオークションに参加して、多数のインターネット媒体に存在する広告領域に対する広告の露出比率およびそれによる広告費消尽率の調節が可能であって戦略的な広告運営を行えるようにする、より現実で活用度の高い解決方案が切実に求められる実情である。
【先行技術文献】
【特許文献】
【０００５】
【特許文献１】韓国特許公開10-2006-0080154
【発明の開示】
【発明が解決しようとする課題】
【０００６】
そこで、本発明は、広告主クライアントの間に、多数のインターネット媒体上に存在する広告領域を占有するために、多数のインターネット媒体の一部または全部がグループ化した多数のインターネット媒体グループのうち選択されたインターネット媒体グループに対して課金方式の制限なくオークションを行い、最大利益率に応じて選定された多数の広告主クライアントにインターネット媒体グループ上の広告領域を提供する。
これにより、インターネット媒体グループに属するインターネット媒体それぞれの運営者は自分のインターネット媒体上の広告領域を用いて広告収入を極大化し、広告主クライアントは好む課金方式で多数のインターネット媒体からなるインターネット媒体グループに対するオークションに参加することができる。また、インターネット媒体グループに属するインターネット媒体それぞれに存在する広告領域に対する広告の露出比率およびそれによる広告費消尽率の調節が可能であって戦略的な広告運営が可能となる。
【課題を解決するための手段】
【０００７】
上記目的を達成するための本発明の一実施の形態例によれば、インターネット上で不特定多数のインターネット利用者に情報を提供し且つ広告が掲載できる広告領域を有する多数のインターネット媒体と、多数のインターネット媒体の一部または全部がグループ化された多数のインターネット媒体グループを加入された会員に提供し、オークションを介して、多数のインターネット媒体グループのいずれか一つに広告を掲載するために、オークションに参加した会員のうち広告を掲載する会員を選定するオークションサーバーと、このオークションサーバーに接続して広告を掲載する会員として加入し、提供された多数のインターネット媒体グループ情報を照会して、多数のインターネット媒体グループのうちいずれか一つを選択し、選択したインターネット媒体グループに対する入札額を入力する広告主クライアントとを含んでなる、多数のインターネット媒体に広告を露出して広告効率を極大化するオークションシステムを提供する。
【０００８】
また、上記目的を達成するための本発明の他の一実施の形態例によれば、オークションサーバーの入札インターフェース部が、多数のインターネット媒体の一部または全部がグループ化された多数のインターネット媒体グループに対する情報を 広告主クライアントに提供し、広告主クライアントによって選択されたインターネット媒体グループに対するオークションに参加した他の広告主クライアントの入札内訳を提供する第１段階と、オークションサーバーの入札インターフェース部が提供した多数のインターネット媒体グループのいずれか一つが広告主クライアントによって選択され、選択されたインターネット媒体グループに対する広告主クライアントによって記入された入札額と課金方式を含む入札内訳の入力をオークションサーバーの入札インターフェース部が受ける第２段階と、オークションサーバーのデータベース部が入札インターフェース部に入力された入札内訳を格納する第３段階と、オークションサーバーの入札処理部がオークション周期が到来したか否かを確認し、データベース部に格納され広告主クライアントによって選択されたインターネット媒体グループに対して提示された入札額から算出される最大利益率と、広告主クライアントによって選択されたインターネット媒体グループに対して提示された入札額および広告主クライアントの広告に対する利用者クリック率から算出される最大利益率と、広告主クライアントの入札額および広告主クライアントの広告による利用者アクションの発生件数から算出される最大利益率のうちいずれか一つで決定される順位に応じて、選択されたインターネット媒体グループに広告を掲載する１人の広告主クライアントまたは２人以上の多数の広告主クライアントを選定する第４段階と、オークションサーバーの広告送出部が、入札処理部で選定された広告主クライアントの広告を選択されたインターネット媒体グループに送り出す第５段階と、を含む、多数のインターネット媒体に広告を露出して広告効率を極大化するオークションシステムの運営方法を提供する。
【０００９】
上記目的を達成するための本発明の別の一実施の形態例によれば、インターネット上でインターネット利用者に情報を提供し且つ広告が掲載できる広告領域を有する多数のインターネット媒体の一部または全部がグループされた多数のインターネット媒体グループをオークションサーバーが広告主クライアントに提供する段階と、提供された多数のインターネット媒体グループのいずれか一つに広告を掲載する少なくとも一つの広告主クライアントをオークションサーバーがオークションを介して選定する段階と、オークションサーバーが特定のインターネット媒体グループに対して選定された少なくとも一つの広告主クライアントの広告を特定のインターネット媒体グループへ広告収益の順位に応じて広告露出比率を差等適用して送り出す段階と、を含む、多数のインターネット媒体に広告を露出して広告効率を極大化するオークションシステムの運営方法を提供する。
【発明の効果】
【００１０】
したがって、本発明は、多数のインターネット媒体の一部または全部が情報特性や種類などの所定の条件によってグループされた多数のインターネット媒体グループのいずれか一つに対して広告主クライアントの間に課金方式の制限なくオークションを行い、最大利益率に応じて選定された多数の広告主クライアントにオークションを行ったインターネット媒体グループ上の広告領域を提供する。これにより、インターネット媒体グループの運営者は自分のインターネット媒体グループ上の広告領域を用いて広告収入を極大化し、広告主クライアントは好む課金方式でインターネット媒体グループに対するオークションに参加し、インターネット媒体グループに存在する広告領域に対する広告の露出比率およびそれによる広告費消尽率の調節が可能であって戦略的な広告運営が可能である。
【図面の簡単な説明】
【００１１】
【図１】本発明の実施の形態例に係る多数のインターネット媒体に広告を露出して広告効率を極大化するオークションシステムの構成図である。
【図２】図１によるオークションシステムの入札過程でインターネット媒体グループの目録をディスプレイした状態を示す例示図である。
【図３】図１によるオークションシステムの入札過程で選択されたインターネット媒体グループに対する入札内訳のディスプレイ状態を示す例示図である。
【図４】本発明の他の実施の形態例に係る多数のインターネット媒体に広告を露出して広告効率を極大化するオークションシステムの運営方法を示す流れ図である。
【発明を実施するための形態】
【００１２】
以下に添付図面を参照しながら、本発明の好適な実施の形態例を詳細に説明する。
【００１３】
図１は、本発明の実施の形態例に係る多数のインターネット媒体に広告を露出して広告効率を極大化するオークションシステムの構成図である。
【００１４】
本発明の実施の形態例に係る多数のインターネット媒体に広告を露出して広告効率を極大化するオークションシステムは、インターネット上で不特定多数のインターネット利用者に情報を提供し且つ広告が掲載できる広告領域を有する多数のインターネット媒体と、多数のインターネット媒体の一部または全部がグループ化された多数のインターネット媒体グループ３００を加入された会員に提供し、オークションを介して多数のインターネット媒体グループ３００のいずれか一つ３００に広告を掲載するためにオークションに参加した会員のうち、広告を掲載する会員を選定するオークションサーバー１００と、オークションサーバー１００に接続して広告を掲載する会員として加入し、提供された多数のインターネット媒体グループ３００を照会して多数のインターネット媒体グループ３００のうちいずれか一つを選択し、この選択したインターネット媒体グループ３００に対する入札額を記入する広告主クライアント２００とを含んでなる。
【００１５】
さらに詳しくは、オークションサーバー１００は、入札インターフェース部１１０、データベース部１２０、入札処理部１３０および広告送出部１４０から構成される。また、オークションサーバー１００は、ウェブログ処理部１５０、口座管理部１６０および費用処理部１７０をさらに含んでなる。
【００１６】
また、入札インターフェース部１１０は、広告主クライアント２００に多数のインターネット媒体グループ３００のうち、いずれか一つを選択するように多数のインターネット媒体グループ３００を提供する。そして、広告主クライアント２００によって選択されて記入されたインターネット媒体グループ３００に対する入札額の入力を受ける。
【００１７】
すなわち、入札インターフェース部１１０は、多数のインターネット媒体グループ３００に対する情報を提供し、広告主クライアント２００によって選択されたインターネット媒体グループ３００に対するオークションに参加した他の広告主クライアントの入札内訳を提供する。そして広告主クライアント２００によって選択されたインターネット媒体グループに対する入札額と選択されたインターネット媒体グループの広告領域の位置情報を含む入札内訳の入力を受ける。
【００１８】
また、多数のインターネット媒体グループに対する情報は、多数のインターネット媒体グループにそれぞれ属するインターネット媒体それぞれの広告領域の位置情報と、多数のインターネット媒体グループに対してオークションシステムによって任意に予め指定されたそれぞれの最大利益率の順位に該当するそれぞれの広告主クライアントの広告露出費用のうち少なくとも一つを含む。
【００１９】
また、他の広告主クライアントの入札内訳それぞれは、選択されたインターネット媒体グループに対して提示された入札額から算出される最大利益率と、この入札額および選択されたインターネット媒体グループに広告を掲載した一定期間のクリック率から算出される最大利益率と、入札額および選択されたインターネット媒体グループに掲載された広告主クライアントの広告による利用者アクションの発生件数から算出される最大利益率のうち少なくとも一つを含む。
【００２０】
図２は、図１によるオークションシステムの入札過程でインターネット媒体の目録をディスプレイした状態を示す例示図である。
【００２１】
図２に示すように、入札インターフェース部１１０は、広告主クライアント２００に多数のインターネット媒体グループの目録をさらに提供する。広告主クライアント２００は、提供された多数のインターネット媒体グループの目録の中から少なくとも一つのインターネット媒体グループを選択することができる。また、広告主クライアント２００は、一つのインターネット媒体グループに属する少なくとも一つのインターネット媒体のうち一部または全部を選択することもできる。
【００２２】
入札インターフェース部１１０は、それぞれのインターネット媒体グループ３００に該当する単位期間別の露出数、クリック数、最低入札額、平均クック率などの詳細情報をさらに提供し、これに基づいてそれぞれのインターネット広告主クライアント２００は入札するか否かを決定する。
【００２３】
上述の露出数は、単位期間別にインターネット媒体グループ３００を介してインターネット使用者に広告が露出される回数である。
【００２４】
また、最低入札額は、オークション期間にインターネット媒体グループ３００に広告を掲載した広告主クライアント２００のオークション最低入札額である。
【００２５】
最高入札額は、オークション期間にインターネット媒体グループ３００に広告を掲載した広告主クライアント２００のオークション最高入札額である。
【００２６】
平均クリック率は、インターネット媒体グループ３００を介して単位期間別に広告がインターネット使用者に露出される回数である露出数と、インターネット使用者が前記露出された広告を選択する回数であるクリック数の比率によって算出した数値である。
【００２７】
入札インターフェース部１１０は、広告主クライアント２００が特定のインターネット媒体グループ３００を選択し、入札するか否かを決定すると、広告主クライアント２００が選択したインターネット媒体グループ３００に対する入札額を記入することができる。
【００２８】
図３は本発明に係るオークションシステムの入札過程で選択されたインターネット媒体に対する入札内訳のディスプレイ状態を示す例示図である。
【００２９】
図３に示すように、入札インターフェース部１１０は、選択されたインターネット媒体グループ３００に対するオークションに参加した他の広告主クライアント２００の入札額、最大利益率およびクリック率を含む入札内訳を広告主クライアント２００にさらに提供する。
【００３０】
しかも、入札インターフェース部１１０は、オークションで選定された場合、インターネット媒体グループ３００に掲載する広告の入力を受ける。
【００３１】
インターネット媒体グループ３００に掲載する広告は、バナー広告、キーワード広告、テキスト広告および動画像広告のうちいずれか一つを選択的に入力することができる。
【００３２】
データベース部１２０には、入札インターフェース部１１０から入力を受けた入札額、クリック率、最大利益率および課金方式などを含む入札内訳が格納され、選択されたインターネット媒体グループ３００に属するそれぞれのインターネット媒体に対する詳細情報が格納される。
【００３３】
また、データベース部１２０は、ウェブログ処理部１５０が収集したインターネット媒体グループ３００に属するインターネット媒体それぞれに掲載された広告に対する露出数とクリック数、および掲載された広告を介して発生した利用者アクションの発生件数が格納される。露出情報は広告の露出数を含み、クリック情報は広告のクリック数を含む。露出情報とクリック情報は入札インターフェース部１１０を介して広告主クライアント２００に提供される。なお、利用者アクションは、広告主クライアントが広告を介して行われる会員加入、物品販売などのインターネット利用者の期待行為を意味する。
【００３４】
しかも、データベース部１２０には、インターネット媒体グループ３００に掲載される広告が格納される。
【００３５】
入札処理部１３０は、データベース部１２０に格納された入札内訳によって、インターネット媒体グループ３００に広告を掲載する広告主クライアント２００を選定する。
【００３６】
入札処理部１３０は、入札額から算出される最大利益率、入札額と広告に対する利用者クリック率から算出される最大利益率、および入札額と広告による利用者アクションの発生件数から算出される最大利益率のうちいずれか一つの順位に応じて、インターネット媒体グループ３００に広告を掲載する広告主クライアント２００を選定する。
【００３７】
最大利益率の順位に応じて広告主クライアント２００を選定する場合には、この最大利益率は、広告主クライアント２００が過去に広告を掲載した一定期間のクリック率や入札額、利用者アクションの発生件数、露出数などを用いて算出する（ここで、クリック率は広告の露出数とクリック数との比率で算出する。）。
【００３８】
広告主クライアント２００が選択したインターネット媒体グループ３００に同じ広告を既存に掲載した履歴がある場合には、過去に広告を掲載した期間のクリック率を用い、広告主クライアント２００が選択したインターネット媒体グループ３００に同じ広告を既存に掲載した履歴がない場合には、選択したインターネット媒体グループ３００の平均クリック率を用いる。或いは広告サーバー１００が既に指定した任意の値をクリック率の代わりに用いて、最大利益率を計算することができる。インターネット媒体グループ３００の平均クリック率を用いて最大利益率を計算する場合、オークションに最初参加した広告主クライアント２００に既存の広告主クライアントと新規の広告主クライアントとの間にある程度公正な機会を与えるのである。広告主クライアント２００が入力したそれぞれの課金方式別に区切りをせず制限なく最大利益率を用いて、広告を掲載する広告主クライアント２００を選定することができる。
【００３９】
それぞれの課金方式別に、最大利益率は次のように算出する。
【００４０】
−クリック当たりの費用課金方式（ＣＰＣ、Cost Per Click）：入札額×クリック率
−露出当たりの費用課金方式（ＣＰＭ、Cost Per Mile）：入札額×１／１０００
−実績当たりの費用課金方式（ＣＰＡ、Cost Per Action）：入札額×利用者アクションの発生件数／露出数
或いは、入札額の順位に応じて広告主クライアント２００を選定することもできる。
【００４１】
入札処理部１３０は、入札内訳によって１人の広告主クライアントまたは２人以上の多数の広告主クライアントを選定する。
【００４２】
入札処理部１３０は、オークションサーバー１００に設定された所定の時間毎に、インターネット媒体グループ３００に広告を掲載する広告主クライアント２００を周期的に再選定する。
【００４３】
広告送出部１４０は、入札処理部１３０で選定された広告主クライアント２００の広告をインターネット媒体グループ３００に送り出す。広告送出部１４０は、データベース部１２０に格納されている広告を、広告主クライアント２００が選択したインターネット媒体グループ３００に一括的に送り出す。また、インターネット媒体グループ３００に、２人以上の多数の広告主クライアント２００が選定された場合には、入札額または最大利益率の順位に応じて広告の露出比率を差等適用してインターネット媒体グループ３００に送り出す。
【００４４】
ウェブログ処理部１５０は、広告送出部１４０が送り出した広告に対する露出数とクリック数、および送り出された広告による利用者アクションの発生件数を収集してデータベース部１２０に格納する。
【００４５】
口座管理部１６０は、広告主クライアント２００の入金口座の残高を確認し、残高がオークションサーバー１００に既に指定された最小残高より少ない場合に、広告主クライアント２００に広告費用の入金を要請する。
【００４６】
費用処理部１７０は、ウェブログ処理部１５０が収集したインターネット媒体グループ３００に属するインターネット媒体それぞれに対する、広告に対する露出数とクリック数、および送り出された広告による利用者アクションの発生件数に基づいて広告主クライアント２００に広告費用を精算する。
【００４７】
図４は、本発明の他の実施の形態例に係る多数のインターネット媒体に広告を露出して広告効率を極大化するオークションシステムの運営方法を示す流れ図である。インターネットを介して広告主クライアントに多数のインターネット媒体上の広告領域を提供するオークションサーバーからなる、多数のインターネット媒体に広告を露出して広告効率を極大化するオークションシステムの運営方法は次のとおりである。
【００４８】
図４に示すように、本発明の実施の形態例に係る多数のインターネット媒体に広告を露出して広告効率を極大化するオークションシステムの運営方法は、インターネット上でインターネット利用者に情報を提供し且つ広告が掲載できる広告領域を有する多数のインターネット媒体のうち一部または全部がグループ化された多数のインターネット媒体グループをオークションサーバーが広告主クライアントに提供する段階（Ｓ４０）と、提供された多数のインターネット媒体グループのうちいずれか一つに広告を掲載する少なくとも一つの広告主クライアントをオークションサーバーがオークションを介して選定する段階（Ｓ５０、Ｓ６０、Ｓ７０）と、オークションサーバーが特定のインターネット媒体グループに対して選定された少なくとも一つの広告主クライアントの広告を特定のインターネット媒体グループへ広告収益の順位に応じて広告露出比率を差等適用して送り出す段階（Ｓ８０）とを含んでいる。
【００４９】
さらに詳しくは、本発明の実施の形態例に係る多数のインターネット媒体に広告を露出して広告効率を極大化するオークションシステムの運営方法は、以下の段階を含んでいる。
（ａ）オークションサーバー１００の入札インターフェース部１１０が、多数のインターネット媒体の一部または全部がグループ化された多数のインターネット媒体グループ３００、多数のインターネット媒体グループ３００に該当する過去の単位期間別の露出数やクリック数、最低入札額、最高入札額、平均クリック率（ここで、平均クリック率は、露出数とインターネット使用者がインターネット媒体グループに露出された広告を選択する回数であるクリック数の比率から算出した数値である。）などの詳細情報、並びに広告主クライアント２００によって選択されたインターネット媒体グループ３００に対するオークションに参加した他の広告主クライアント２００の入札額、課金方式および過去に広告を掲載した一定期間のクリック率を含む入札内訳を広告主クライアント２００に提供する第１段階（Ｓ４０）。
（ｂ）オークションサーバー１００の入札インターフェース部１１０が提供した多数のインターネット媒体グループ３００のうちいずれか一つが広告主クライアント２００によって選択され、この選択されたインターネット媒体グループ３００に対する広告主クライアント２００によって記入された入札額と課金方式を含む入札内訳の入力をオークションサーバー１００の入札インターフェース部１１０が受ける第２段階（Ｓ５０）。
（ｃ）オークションサーバー１００のデータベース部１２０が入札インターフェース部１１０に入力された入札内訳を格納する第３段階（Ｓ６０）。
（ｄ）オークションサーバー１００の入札処理部１３０が、オークション周期が到来したか否かを確認し、選択されたインターネット媒体グループ３００に対して広告主クライアント２００によって提示された入札額から算出される最大利益率と、選択されたインターネット媒体グループ３００に対して広告主クライアント２００によって提示された入札額およびその広告主クライアント２００の広告を掲載した一定期間のクリック率（ここで、広告主クライアントが過去に広告を掲載した履歴がない場合には、選択したインターネット媒体３００の平均クリック率を用いるか、或いは広告サーバー１００が既に指定した任意の値が前記クリック率に代える。）から算出される最大利益率と、選択されたインターネット媒体グループ３００に対して広告主クライアント２００によって提示された入札額およびその広告主クライアント２００の広告による利用者アクションの発生件数から算出される最大利益率のうちいずれか一つで決定される順位に応じて、選択されたインターネット媒体グループ３００に広告を掲載する１人の広告主クライアント２００または２人以上の多数の広告主クライアント２００を選定する第４段階（Ｓ７０）。
（ｅ）オークションサーバー１００の広告送出部１４０が入札処理部１３０で選定された広告主クライアント２００の広告を選択されたインターネット媒体グループ３００に送り出す第５段階（Ｓ８０）。
【００５０】
また、前記第１段階の前に、オークションサーバー１００の入札インターフェース部１１０が、オークションサーバー１００に接続した広告主クライアント２００に対して会員として加入を受ける段階（Ｓ１０）と、オークションサーバー１００の口座管理部１６０が広告主クライアント２００の入金口座残高を確認する段階（Ｓ２０）と、オークションサーバー１００の入札インターフェース部１００が広告主クライアント２００から広告の入力を受ける段階（Ｓ３０）とをさらに含む。
【００５１】
また、前記第５段階の後に、オークションサーバー１００のウェブログ処理部１５０がインターネット媒体グループ３００に属するインターネット媒体それぞれに送り出された広告の露出数とクリック数、および送り出された広告による利用者アクションの発生件数を収集する段階（Ｓ９０）と、オークションサーバー１００の費用処理部１７０が、ウェブログ処理部１５０によって収集された広告の露出数とクリック数および送り出された広告による利用者アクションの発生件数に基づいて、インターネット媒体グループ３００に属するインターネット媒体それぞれに対する広告費用を広告主クライアント２００に精算する段階（Ｓ１００）と、さらに含む。
【００５２】
次に、上述したような本発明の実施の形態例に係る多数のインターネット媒体に広告を露出して広告効率を極大化するオークションシステムの運営方法について詳細に説明する。
【００５３】
まず、インターネット媒体グループ３００に対するオークションに参加するために、広告主クライアント２００は、オークションサーバー１００に接続して入札インターフェース部１１０で会員加入を行う（Ｓ１０）。既に会員として登録された広告主クライアント２００の場合、オークションサーバー１００の口座管理部１６０が広告主クライアント２００の入金口座残高を確認し、会員として登録されていない広告主クライアントの場合に会員加入を行った後、オークションサーバー１００の口座管理部１６０が広告主クライアント２００の入金口座残高を確認する（Ｓ２０）。
【００５４】
入金口座残高を確認する場合、オークションサーバー１００の口座管理部１６０が広告主クライアント２００の入金口座に広告を掲載するための最小残高以上の金額が預けられているかを確認する。オークションサーバー１００で既に指定した最小残高以上の金額が入金口座に預けられていない場合には、広告主クライアント２００に少なくとも最小残高以上の広告費用入金を要請する。
【００５５】
また、オークションサーバー１００の入札インターフェース部１００が広告主クライアント２００から広告の入力を受ける段階（Ｓ３０）において、オークションサーバー１００の入札インターフェース部１１０は、後述の段階Ｓ７０で広告を掲載する広告主クライアント２００が選定される場合、インターネット媒体グループ３００に掲載される広告の入力を受ける。入力を受ける広告はバナー広告、キーワード広告、テキスト広告および動画像広告のいずれか一つであることが好ましい。
【００５６】
次に、第１段階（Ｓ４０）について説明すると、オークションサーバー１００の入札インターフェース部１１０が、選択されたインターネット媒体グループ３００に属するインターネット媒体それぞれの目録を広告主クライアント２００に提供する。また、インターネット媒体グループ３００に該当する過去の単位時間当たりの広告の露出数、クリック数、最低入札額、最高入札額、平均クリック率などの詳細情報をさらに提供し、これに基づいてそれぞれの広告主クライアント２００が入札するか否かを決定する。
【００５７】
また、前記第１段階（Ｓ４０）において、オークションサーバー１００の入札インターフェース部１００が、広告主クライアント２００に選択されたインターネット媒体グループ３００に対するオークションに参加した他の広告主クライアント２００の入札額、課金方式および最大利益率などの入札内訳を提供する。
【００５８】
前記第２段階（Ｓ５０）は、入札インターフェース部１１０によって提供された多数のインターネット媒体グループ３００の詳細情報を参考して、広告主クライアント２００が、広告が掲載されることを所望するインターネット媒体グループとして多数のインターネット媒体グループ３００のいずれか一つを選択する。特定のインターネット媒体グループ３００が選択されると、広告主クライアント２００が、入札インターフェース部１１０で提供した他の広告主クライアント２００の入札額や最大利益率などの入札内訳を参考して、選択されたインターネット媒体グループ３００に対する入札額および課金方式を入力する。
【００５９】
また、前記第３段階（Ｓ６０）において、オークションサーバー１００のデータベース部１２０が、広告主クライアント２００によって入札インターフェース部１１０に入力された入札額および課金方式などの入札内訳を格納する。
【００６０】
さらに、前記第４段階（Ｓ７０）において、入札処理部１３０が、オークション時の入札額から算出される最大利益率と、オークション時の入札額および広告に対する利用者クリック率から算出される最大利益率と、オークション時の入札額および広告による利用者アクションの発生件数から算出される最大利益率のうちいずれか一つで決定される順位に応じて広告主クライアント２００を選定する。
【００６１】
前記第４段階（Ｓ７０）は、オークションサーバー１００の入札処理部１３０が、オークション周期が到来したか否かを確認する段階（Ｓ７１）と、オークションサーバー１００の入札処理部１３０が最大利益率の順位に応じて広告主クライアント２００を選定する段階（Ｓ７２）と、オークションサーバー１００の入札処理部１３０が入札額の順位に応じて広告主クライアント２００を選定する段階（Ｓ７３）とを含んでいる。
【００６２】
すなわち、オークションサーバー１００の入札処理部１３０が、オークション周期が到来したか否かを確認する（Ｓ７１）。オークション周期が未だ到来していない場合、入札処理部１３０は、開始段階に戻って入札待機状態になる。オークション周期が到来した場合、入札処理部１３０はインターネット媒体グループ３００に広告を掲載する広告主クライアント２００を選定する。
【００６３】
その後、オークションサーバー１００の入札処理部１３０が最大利益率の順位に応じて広告主クライアント２００を選定するが（Ｓ７２）、オークションサーバー１００の入札処理部１３０が最大利益率の順位に応じて、インターネット媒体グループ３００に広告を掲載する広告主クライアント２００を選定する。最大利益率は、広告主クライアント２００が過去に広告を掲載した一定期間のクリック率や入札額、利用者アクションの発生件数、露出数などを用いて算出し、前述したようにそれぞれの課金方式別に異なる方法で算出する。
【００６４】
また、広告主クライアント２００が選択したインターネット媒体グループ３００に同じ広告を既存に掲載した履歴がある場合には、過去に広告を掲載した期間のクリック率を用い、広告主クライアント２００が選択したインターネット媒体グループ３００に同じ広告を既存に掲載した履歴がない場合には、選択したインターネット媒体グループ３００の平均クリック率を用いるか、或いは広告サーバー１００が既に指定した任意の値をクリック率の代わりに用いて、最大利益率を計算することができる。オークションに初めて参加した広告主クライアント２００に当該インターネット媒体３００の平均クリック率を使用させることにより、既存の広告主クライアントと新規の広告主クリアンとの間にある程度公正な機会を与えることができる。
【００６５】
上述したように最大利益率を用いることにより、互いに異なる課金方式を選択して、オークションに入札した広告主クライアント２００に発生する広告収益を予測することができるため、それによる順位を決定し、広告を掲載する広告主クライアント２００を選定することができる。
【００６６】
オークションに参加した多数の広告主クライアントの中から、入札内訳によって１人の広告主クライアント２００または２人以上の多数の広告主クライアント２００がインターネット媒体３００に広告を掲載することができるように選定される。
【００６７】
オークションサーバー１００の入札処理部１３０が最大利益率の順位に応じて広告主クライアント２００を選定する場合（Ｓ７２）、広告主クライアント２００を選定する過程を具体的に説明すると、次のとおりである。
【００６８】
インターネット上の特定のインターネット媒体グループ３００を占有して広告を掲載しようとする６名の広告主クライアント（Ａ、Ｂ、Ｃ、Ｄ、Ｅ、Ｆ）がある。現在、本発明の広告システムにおいて、インターネット媒体グループ３００に対して、広告を掲載する広告主クライアントを選定しようとする。前記６名の広告主クライントのうち、Ａ、Ｂ、Ｄ、Ｆはインターネット媒体グループ３００に広告を掲載しており、ＣとＥはインターネット媒体グループ３００に初めて広告を掲載しようとする。インターネッ媒体グループ３００の平均クリック率は０．０２である。広告主クライアントＤは昨月に１０万回の広告露出があり、１回の利用者アクションが発生したと仮定する。現在、次の周期の広告主クライアント選定のためのオークションが進行中にあり、それぞれの広告主クライアントの入札内訳は表１のとおりである。
【００６９】
【表１】
2012511205.tif 000008
【００７０】
今回に初めてオークションに入札する広告主クライアントＣ、Ｅのクリック率は、インターネット媒体グループ３００の平均クリック率０．０２を与えて最大利益率を算出する。
【００７１】
それぞれの課金方式別に、最大利益率は次のように算出する。
【００７２】
−クリック当たりの費用課金方式（ＣＰＣ、Cost Per Click）：入札額×クリック率
−露出当たりの費用課金方式（ＣＰＭ、Cost Per Mile）：入札額×１／１０００
−実績当たりの費用課金方式（ＣＰＡ、Cost Per Action）：入札額×利用者アクショ
ンの発生件数／露出数
したがって、前述したような方法で最大利益率を算出すると、Ａ、Ｂ、Ｃ、Ｄ、Ｅ、Ｆの順位で、インターネット媒体３００に広告を掲載する広告主クライアント２００が選定される。
【００７３】
また、オークションサーバー１００の入札処理部１３０がインターネット媒体グループ３００に広告を掲載する２人以上の多数の広告主クライアント２００を選定した場合、上述した最大利益率の順位に応じて露出費用を差等適用してインターネット媒体グループ３００に広告を送り出すことができる。
【００７４】
オークションサーバー１００の入札処理部１３０が入札額の順位に応じて広告主クライアント２００を選定する場合（Ｓ７３）には、オークションに参加した多数の広告主クライアント２００のうち、入札額の順位に応じて、1人の広告主クライアント２００または２人以上の多数の広告主クライアント２００がインターネット媒体グループ３００に広告を掲載することができるように選定される。
【００７５】
前記段階Ｓ７３で広告主クライアントを選定する過程を、表１を用いて具体的に説明すると、オークションサーバー１００の入札処理部１３０が入札額の順位に応じて広告主クライアント２００を選定する場合には、単に入札額の順位のみで広告主クライアント２００を選定するので、入札額の順位に応じてＤ、Ａ、Ｃ、Ｂ、Ｅ、Ｆの順に広告主クライアント２００が選定される。
【００７６】
第５段階（Ｓ８０）において、オークションサーバー１００の入札処理部１３０によって前記第４段階で選定された広告主クライアント２００の広告を広告送出部１４０がインターネット媒体グループ３００に送り出す。広告送出部１４０は、データベース部１２０に格納されている広告をインターネット媒体グループ３００に送り出す。インターネット媒体グループ３００に２人以上の多数の広告主クライアントが広告を行えるように選定された場合には、最大利益率または入札額の順位に応じてそれぞれの広告露出比率を差等適用して送り出すことができる。
【００７７】
また、段階Ｓ９０において、オークションサーバー１００のウェブログ処理部１５０が広告送出部１４０でインターネット媒体グループ３００に属するインターネット媒体それぞれに送り出した広告の露出数とクリック数、および送り出された広告による利用者アクションの発生件数を収集してデータベース部１２０に格納する。
【００７８】
段階Ｓ１００は、ウェブログ処理部１５０によって収集された広告に対する露出数とクリック数、および送り出された広告による利用者アクションの発生件数に基づいて、費用処理部１６０がインターネット媒体グループ３００に属するインターネット媒体それぞれに対する広告費用を広告主クライアント２００に精算する。
【００７９】
例えば、広告主クライアント２００によってオークション入札の際に入力された課金方式に従い、ＣＰＣ（クリック当たりの費用課金方式）、ＣＰＭ（露出当たりの費用課金方式）およびＣＰＡ（実績当たりの費用課金方式）のうち、広告主クライアントによって選択されたいずれか一つの課金方式で広告費用が精算される（Ｓ１００）。
【００８０】
まず、クリック当たりの費用課金方式を用いる場合には、広告を掲載した期間の当該インターネット媒体グループ３００に掲載された広告のクリック数と入札額を用いて広告費用を算定し、露出当たりの費用課金方式を用いる場合には、広告を掲載した期間の該当インターネット媒体グループ３００に掲載された広告の露出数と入札額を用いて広告費用を算定することができる。また、実績当たりの費用課金方式を用いる場合には、広告を掲載した期間に広告主クライアント２００が前記広告を介して期待した利用者アクションの発生件数と入札額を用いて広告費用を算定することができる。
【００８１】
したがって、本発明は、広告主クライアント２００の間に、多数のインターネット媒体からなるインターネット媒体グループ３００上に存在する広告領域を占有するために課金方式の制限なくオークションを行い、最大利益率に基づいて選定された多数の広告主クライアント２００にインターネット媒体グループ３００上の広告領域を提供することにより、インターネット媒体グループ３００の運営者はインターネット媒体グループ３００の広告領域を用いて広告収入を極大化し、広告主クライアント２００は広告主クライアント本人が好む課金方式でオークションに参加してインターネット媒体グループ３００に対する広告の露出比率、およびそれによる広告費消尽率の調節が可能であって戦略的な広告運営が可能である。
【００８２】
以上、本発明について詳細に説明したが、その過程で言及した実施の形態例は例示的なものに過ぎず、限定的なものではない。本発明は、以下の特許請求の範囲によって提供される本発明の技術的思想または分野から外れない範囲内において、均等に対処できる程度の構成要素変更は本発明の範囲に属するといえる。
【手続補正２】
【補正対象書類名】特許請求の範囲
【補正対象項目名】全文
【補正方法】変更
【補正の内容】
【特許請求の範囲】
【請求項１】
インターネット上で不特定多数のインターネット利用者に情報を提供し、広告が掲載できる広告領域を有する多数のインターネット媒体と、
前記多数のインターネット媒体の一部または全部がグループ化された多数のインターネット媒体グループに対する情報を加入された会員に提供し、オークションを介して、前記多数のインターネット媒体グループのいずれか一つに広告を掲載するためにオークションに参加した会員のうち広告を掲載する会員を選定するオークションサーバーと、
前記オークションサーバーに接続して広告を掲載する会員として加入し、前記提供された多数のインターネット媒体グループ情報を照会して前記多数のインターネット媒体グループのいずれか一つを選択し、前記選択したインターネット媒体グループに対する入札額を入力する広告主クライアントとを含んでなることを特徴とする、多数のインターネット媒体に広告を露出して広告効率を極大化するオークションシステム。
【請求項２】
前記オークションサーバーは、  
前記広告主クライアントに前記多数のインターネット媒体グループに対する情報を提供して、前記広告主クライアントによって選択されたインターネット媒体グループに対するオークションに参加した他の広告主クライアントの入札内訳を提供し、前記広告主クライアントによって選択されたインターネット媒体グループに対する入札額および前記選択されたインターネット媒体グループの広告領域の位置情報を含む入札内訳の入力を受ける入札インターフェース部と、
前記入札インターフェース部に入力された入札内訳が格納されるデータベース部と、
前記広告主クライアントによって選択されたインターネット媒体グループに対して提示された入札額から算出される最大利益率と、前記広告主クライアントによって選択されたインターネット媒体グループに対して提示された入札額および前記広告主クライアントの広告に対する利用者クリック率から算出される最大利益率と、前記広告主クライアントによって提示された入札額および前記広告主クライアントの広告による利用者アクションの発生件数から算出される最大利益率のうちいずれか一つで決定される順位に応じて、前記選択されたインターネット媒体グループに広告を掲載する１人の広告主クライアントまたは２人以上の多数の広告主クライアントを選定する入札処理部と、
前記入札処理部で選定された広告主クライアントの広告を、前記広告主クライアントによって選択された前記インターネット媒体グループに送り出す広告送出部とを含んでなることを特徴とする、請求項１に記載の多数のインターネット媒体に広告を露出して広告効率を極大化するオークションシステム。
【請求項３】
前記多数のインターネット媒体グループに対する情報は、
前記多数のインターネット媒体グループにそれぞれ属するインターネット媒体それぞれの広告領域の位置情報、および前記多数のインターネット媒体グループに対してオークションシステムによって任意に予め指定されたそれぞれの最大利益率の順位に該当するそれぞれの広告主クライアントの広告露出比率のうち少なくとも一つを含むことを特徴とする、請求項２に記載の多数のインターネット媒体に広告を露出して広告効率を極大化するオークションシステム。
【請求項４】
前記他の広告主クライアントの入札内訳それぞれは、
前記選択されたインターネット媒体グループに対して提示された入札額から算出される最大利益率と、前記入札額および前記選択されたインターネット媒体グループに広告を掲載した一定期間のクリック率から算出される最大利益率と、前記入札額および前記選択されたインターネット媒体グループに掲載された広告主クライアントの広告による利用者のアクションの発生件数から算出される最大利益率のうち少なくとも一つを含んでなることを特徴とする、請求項２に記載の多数のインターネット媒体に広告を露出して広告効率を極大化するオークションシステム。
【請求項５】
前記入札インターフェース部は、
前記広告主クライアントに、前記多数のインターネット媒体グループにそれぞれ属するインターネット媒体それぞれの目録を提供することをさらに含むことを特徴とする、請求項２に記載の多数のインターネット媒体に広告を露出して広告効率を極大化するオークションシステム。
【請求項６】
前記入札インターフェース部は、
前記広告主クライアントから前記選択されたインターネット媒体グループに掲載される広告の詳細情報の入力を受けることをさらに含むことを特徴とする、請求項２に記載の多数のインターネット媒体に広告を露出して広告効率を極大化するオークションシステム。
【請求項７】
前記入札処理部は、
前記オークションサーバーに設定された所定の時間毎に、前記選択されたインターネット媒体グループに広告を掲載する広告主クライアントを、前記最大利益率によって決定される順位に応じて周期的に再選定することを特徴とする、請求項２に記載の多数のインターネット媒体に広告を露出して広告効率を極大化するオークションシステム。
【請求項８】
前記広告送出部は、
前記入札処理部が前記選択されたインターネット媒体グループに広告を掲載する２人以上の多数の広告主クライアントを選定した場合、前記最大利益率の順位に応じて露出比率を差等適用して、前記選択されたインターネット媒体グループに広告を送り出すことを特徴とする、請求項２に記載の多数のインターネット媒体に広告を露出して広告効率を極大化するオークションシステム。
【請求項９】
前記広告主クライアントの入金口座残高を確認し、前記広告主クライアントに広告費用の入金を要請する口座管理部と、
前記選定された広告主クライアントによって選択されたインターネット媒体グループに属するインターネット媒体それぞれに対して、前記広告送出部が送り出した前記選定された広告主クライアントの広告に対する露出数とクリック数、および送り出された広告による利用者アクションの発生件数を収集して前記データベース部に格納するウェブログ処理部と、
前記選択されたインターネット媒体グループに属するインターネット媒体それぞれに対して、前記ウェブログ処理部が収集した前記広告に対する露出数とクリック数、および送り出された広告による利用者アクションの発生件数に基づいて前記広告主クライアントに広告費用を精算する費用処理部とをさらに含むことを特徴とする、請求項２に記載の多数のインターネット媒体に広告を露出して広告効率を極大化するオークションシステム。
【請求項１０】
前記費用処理部は、
ＣＰＣ（クリック当たりの費用課金方式）、ＣＰＭ（露出当たりの費用課金方式）およびＣＰＡ（実績当たりの費用課金方式）のうち、前記広告主クライアントによって選択されたいずれか一つの方式で広告費用を精算することを特徴とする、請求項９に記載の多数のインターネット媒体に広告を露出して広告効率を極大化するオークションシステム。
【請求項１１】
オークションサーバーの入札インターフェース部が、広告主クライアントに多数のインターネット媒体の一部または全部がグループ化された多数のインターネット媒体グループに対する情報を提供し、前記広告主クライアントによって選択されたインターネット媒体グループに対するオークションに参加した他の広告主クライアントの入札内訳を提供する第１段階と、
前記オークションサーバーの入札インターフェース部が提供した前記多数のインターネット媒体グループのうちいずれか一つが前記広告主クライアントによって選択され、前記選択されたインターネット媒体グループに対する前記広告主クライアントによって記入された入札額と課金方式を含む入札内訳の入力を前記オークションサーバーの入札インターフェース部が受ける第２段階と、
前記オークションサーバーのデータベース部が前記入札インターフェース部に入力された入札内訳を格納する第３段階と、
前記オークションサーバーの入札処理部がオークション周期が到来したか否かを確認し、前記データベース部に格納され前記広告主クライアントによって選択されたインターネット媒体グループに対して提示された入札額から算出される最大利益率と、前記広告主クライアントによって選択されたインターネット媒体グループに対して提示された入札額および前記広告主クライアントの広告に対する利用者アクションの発生件数から算出される最大利益率と、前記広告主クライアントの入札額および前記広告主クライアントの広告による利用者アクションの発生件数から算出される最大利益率のうちいずれか一つで決定される順位に応じて、前記選択されたインターネット媒体グループに広告を掲載する１人の広告主クライアントまたは２人以上の多数の広告主クライアントを選定する第４段階と、
前記オークションサーバーの広告送出部が前記入札処理部で選定された広告主クライアントの広告を前記選択されたインターネット媒体グループに送り出す第５段階とを含んでなることを特徴とする、多数のインターネット媒体に広告を露出して広告効率を極大化するオークションシステムの運営方法。
【請求項１２】
前記多数のインターネット媒体グループに対する情報は、
前記多数のインターネット媒体グループにそれぞれ属するインターネット媒体それぞれの広告領域の位置情報、および前記多数のインターネット媒体グループに対してオークションシステムによって任意に予め指定されたそれぞれの最大利益率の順位に該当するそれぞれの広告主クライアントの広告露出費用のうち少なくとも一つを含むことを特徴とする、請求項１１に記載の多数のインターネット媒体に広告を露出して広告効率を極大化するオークションシステムの運営方法。
【請求項１３】
前記他の広告主クライアントの入札内訳それぞれは、
前記選択されたインターネット媒体グループに対して提示された入札額から算出される最大利益率と、前記入札額および前記選択されたインターネット媒体グループに広告を掲載した一定期間のクリック率から算出される最大利益率と、前記入札額および前記選択されたインターネット媒体グループに掲載された広告主クライアントの広告による利用者アクションの発生件数から算出される最大利益率のうち少なくとも一つを含むことを特徴とする、請求項１１に記載の多数のインターネット媒体に広告を露出して広告効率を極大化するオークションシステムの運営方法。
【請求項１４】
前記第１段階は、
前記オークションサーバーの入札インターフェース部が、前記多数のインターネット媒体グループにそれぞれ属するインターネット媒体の目録を前記広告主クライアントに提供することをさらに含むことを特徴とする、請求項１１に記載の多数のインターネット媒体に広告を露出して広告効率を極大化するオークションシステムの運営方法。
【請求項１５】
前記第５段階の後に、前記第４段階を前記オークションサーバーに設定された所定の時間毎に周期的に繰り返し行い、前記選択されたインターネット媒体グループに広告を掲載する広告主クライアントを再選定する段階をさらに含むことを特徴とする、請求項１１に記載の多数のインターネット媒体に広告を露出して広告効率を極大化するオークションシステムの運営方法。
【請求項１６】
前記第５段階は、
前記第４段階で前記オークションサーバーの入札処理部が前記選択されたインターネット媒体グループに広告を掲載する２人以上の多数の広告主クライアントを選定した場合に、前記最大利益率の順位に応じて露出比率を差等適用し、前記選択されたインターネット媒体グループに広告を送り出すことを特徴とする、請求項１１に記載の多数のインターネット媒体に広告を露出して広告効率を極大化するオークションシステムの運営方法。
【請求項１７】
前記第１段階の前に、前記オークションサーバーの入札インターフェース部が、前記オークションサーバーに接続した広告主クライアントの加入を会員として受ける段階と、オークションサーバーの口座管理部が前記広告主クライアントの入金口座残高を確認する段階と、前記オークションサーバーの入札インターフェース部が前記広告主クライアントから広告の入力を受ける段階とをさらに含み、
前記第５段階の後に、オークションサーバーのウェブログ処理部が、前記選択されたインターネット媒体グループに属するインターネット媒体それぞれに対して送り出された広告の露出数とクリック数、および送り出された広告による利用者アクションの発生件数を収集する段階と、オークションサーバーの費用処理部が前記オークションサーバーのウェブログ処理部によって収集された広告の露出数とクリック数、および送り出された広告による利用者アクションの発生件数に基づいて前記広告主クライアントに広告費用を精算する段階とをさらに含んでなることを特徴とする、請求項１１に記載の多数のインターネット媒体に広告を露出して広告効率を極大化するオークションシステムの運営方法。
【請求項１８】
オークションサーバーの費用処理部が、前記オークションサーバーのウェブログ処理部によって収集された広告の露出数とクリック数、および送り出された広告による利用者アクションの発生件数に基づいて前記広告主クライアントに広告費用を精算する段階は、
オークションサーバーの費用処理部が、ＣＰＣ（クリック当たりの費用課金方式）、ＣＰＭ（露出当たりの費用課金方式）およびＣＰＡ（実績当たりの費用課金方式）のうち、前記広告主クライアントによって選択されたいずれか一つの方式で広告費用を精算することを特徴とする、請求項１７に記載の多数のインターネット媒体に広告を露出して広告効率を極大化するオークションシステムの運営方法。
【請求項１９】
インターネット上でインターネット利用者に情報を提供し且つ広告が掲載できる広告領域を有する多数のインターネット媒体の一部または全部がグループされた多数のインターネット媒体グループをオークションサーバーが広告主クライアントに提供する段階と、
前記提供された多数のインターネット媒体グループのうちいずれか一つに広告を掲載する少なくとも一つの広告主クライアントを前記オークションサーバーがオークションを介して選定する段階と、
前記オークションサーバーが特定のインターネット媒体グループに対して選定された少なくとも一つの広告主クライアントの広告を前記特定のインターネット媒体グループへ広告収益の順位に応じて広告の露出比率を差等適用して送り出す段階とを含んでなることを特徴とする、多数のインターネット媒体に広告を露出して広告効率を極大化するオークションシステムの運営方法。
【請求項２０】
前記広告収益の順位は、
前記特定のインターネット媒体グループに対して選定された広告主クライアントによって提示された入札額から算出される最大利益率と、前記特定のインターネット媒体グループに対して選定された広告主クライアントによって提示された入札額およびその広告主クライアントの広告に対する利用者クリック率から算出される最大利益率と、前記特定のインターネット媒体グループに対して選定された広告主クライアントによって提示された入札額およびその広告主クライアントの広告による利用者アクションの発生件数から算出される最大利益率のうちいずれか一つで決定される順位であることを特徴とする、請求項１９に記載の多数のインターネット媒体に広告を露出して広告効率を極大化するオークションシステムの運営方法。
【国際調査報告】
2012511205.tif 000009
2012511205.tif 000010